(57)【要約】【課題】１個のロック機構のみで外刃ホルダーと外刃カセットとを個別に分離操作でき、その分だけロック機構の構造を簡素化して電気かみそりの製造コストを削減する。外刃ホルダーと外刃カセットのいずれか一方をロック解除し、あるいは両者のロック状態をワンタッチで同時にロック解除操作できるようにする。【解決手段】かみそりヘッド２の取付部２３に着脱できる外刃ホルダー１６と、外刃ホルダー１６に着脱できる外刃カセット３４とを備えている。外刃ホルダー１６および外刃カセット３４と、取付部２３との間にロック機構を設ける。ロック機構は、外刃ホルダー１６をロック保持する第１係合体７６および第１ロック部３６と、外刃カセット３４をロック保持する第２係合体７７および第２ロック部４７と、ロック状態を解除する操作ボタン７５とを含む。操作ボタン７５は、第１係合体７６をロック解除操作する第１解除位置と、第２係合体７７をロック解除操作する第２解除位置とに操作可能である。【選択図】図１
2005111004.tif 000002
【特許請求の範囲】
【請求項１】
かみそりヘッド２の取付部２３に対して着脱可能に装着される外刃ホルダー１６と、外刃ホルダー１６に対して着脱可能に装着される外刃カセット３４とを備えており、
外刃ホルダー１６および外刃カセット３４と、取付部２３との間に、外刃ホルダー１６および外刃カセット３４を取り外し不能にロック保持するロック機構が設けられており、
ロック機構は、かみそりヘッド２の取付部２３と外刃ホルダー１６との間に設けられて、外刃ホルダー１６をロック保持する第１係合体７６および第１ロック部３６と、
取付部２３または外刃ホルダー１６と外刃カセット３４との間に設けられて、外刃カセット３４をロック保持する第２係合体７７および第２ロック部４７と、
両係合体７６・７７と両ロック部３６・４７との係合状態を係合解除操作する操作ボタン７５とを含み、
操作ボタン７５が、第１係合体７６と第１ロック部３６との係合状態をロック解除操作する第１解除位置と、第２係合体７７と第２ロック部４７との係合状態をロック解除操作する第２解除位置とに操作可能に構成してある電気かみそり。
【請求項２】
操作ボタン７５が、取付部２３に臨むヘッドフレーム１５で往復スライド自在に案内支持される押ボタンであり、
操作ボタン７５を押し込んでロック解除操作するとき、第２解除位置まで操作ボタン７５を押し込み操作することによって第２係合体７７と第２ロック部４７とが係合解除され、
第２解除位置を越えて第１解除位置まで操作ボタン７５を押し込み操作することによって第１係合体７６と第１ロック部３６とが係合解除される請求項１記載の電気かみそり。
【請求項３】
第１係合体７６と第２係合体７７とが、操作ボタン７５と一体に形成されてばね７４でロック付勢してある請求項２記載の電気かみそり。
【請求項４】
操作ボタン７５が、取付部２３に臨むヘッドフレーム１５で揺動自在に支持されるシーソーボタンであり、
第１係合体７６が、ヘッドフレーム１５で往復スライド自在に案内支持されてばね７４でロック付勢されており、
第２係合体７７が、外刃カセット３４のカセット枠４０に形成されており、
操作ボタン７５の一端および他端を押し込み操作することにより、第１係合体７６と第２係合体７７とを択一的に係合解除できる請求項１記載の電気かみそり。
【請求項５】
外刃カセット３４と取付部２３との間に、外刃カセット３４を使用位置から分離準備位置へ押し出し付勢するばね５７が設けられており、
外刃カセット３４と外刃ホルダー１６との間に、分離準備位置を越えて外刃カセット３４が飛び出るのを防ぐ飛び出し防止構造が設けられている請求項２、３または４記載の電気かみそり。
【請求項６】
外刃カセット３４に、第２係合体７７と係合する第２ロック部４７が形成されており、
飛び出し防止構造が、外刃ホルダー１６に形成した突起３７と、突起３７に係合する縦溝８８とで構成されており、
第２ロック部４７が縦溝８８を兼ねている請求項５記載の電気かみそり。
【請求項７】
操作ボタン７５が、外刃ホルダー１６およびヘッドフレーム１５の接合面と交差する状態で設けられており、
外刃ホルダー１６の接合面に、操作ボタン７５の上半外郭線に対応する凹部３５が切り欠き形成されており、
操作ボタン７５と凹部３５とが、外刃ホルダー１６を取付部２３に装着するときの装着ガイドを兼ねている請求項５または６記載の電気かみそり。
【発明の詳細な説明】
【技術分野】
【０００１】
本発明は外刃がカセット化してある電気かみそりに関し、外刃および外刃ホルダーの着脱構造を改良したものである。
【背景技術】
【０００２】
外刃がカートリッジ化してある電気かみそりにおいて、外刃カセットと外刃ホルダーとを個別に分離操作することは公知である（特許文献１）。そこでは、かみそりヘッドの取付部と外刃ホルダーとの間に、外刃ホルダー用の第１ロック機構を配置し、外刃ホルダーと外刃カセットとの間に外刃カセット用の第２ロック機構を配置して、各ロック機構のロック解除用のボタンを個別に操作することにより、外刃ホルダーと外刃カセットとのいずれかを分離操作できるようにしている。上下のボタンが同時に押し込み操作されるのを防ぐために、両ボタンの間にはリブ状の仕切壁を設けてある。
【０００３】
【特許文献１】特開平１０−２３５０３３号公報（段落番号００１９〜００２０、図５）
【発明の開示】
【発明が解決しようとする課題】
【０００４】
上記のような２ボタン型の電気かみそりによれば、外刃ホルダーと外刃カセットとを択一的に分離操作できるし、ロック解除用の各ボタンを誤って同時に押し込み操作することもない。しかし、外刃ホルダー用の第１ロック機構と、外刃カセット用の第２ロック機構とを設ける必要があるので、部品点数が多い分だけかみそりヘッドの内部構造が複雑化し、組立に手間が掛かることもあって、電気かみそりの製造コストが嵩む。
【０００５】
本発明の目的は、１個のロック機構のみで外刃ホルダーと外刃カセットとを個別に分離操作でき、その分だけロック機構の構造を簡素化して製造コストを削減できる電気かみそりを提供することにある。本発明の目的は、外刃カセットと外刃ホルダーのいずれか一方をロック解除し、あるいは外刃カセットと外刃ホルダーのロック状態をワンタッチで同時にロック解除操作でき、したがって、外刃カセットのメンテナンスや交換、あるいは外刃カセットと外刃ホルダーの内面清掃などの手入れを簡便に行える電気かみそりを提供することにある。
【課題を解決するための手段】
【０００６】
本発明の電気かみそりは、かみそりヘッド２の取付部２３に対して着脱可能に装着される外刃ホルダー１６と、外刃ホルダー１６に対して着脱可能に装着される外刃カセット３４とを備えている。外刃ホルダー１６および外刃カセット３４と、取付部２３との間には、外刃ホルダー１６および外刃カセット３４を取り外し不能にロック保持するロック機構が設けられている。そのロック機構は、かみそりヘッド２の取付部２３と外刃ホルダー１６との間に設けられて、外刃ホルダー１６をロック保持する第１係合体７６および第１ロック部３６と、取付部２３または外刃ホルダー１６と外刃カセット３４との間に設けられて、外刃カセット３４をロック保持する第２係合体７７および第２ロック部４７と、両係合体７６・７７と両ロック部３６・４７との係合状態を係合解除操作する操作ボタン７５とを含む。操作ボタン７５は、第１係合体７６と第１ロック部３６との係合状態をロック解除操作する第１解除位置と、第２係合体７７と第２ロック部４７との係合状態をロック解除操作する第２解除位置とに操作可能に構成してあることを特徴とする（請求項１）。
【０００７】
操作ボタン７５は、取付部２３に臨むヘッドフレーム１５で往復スライド自在に案内支持される押ボタンである。操作ボタン７５を押し込んでロック解除操作するとき、第２解除位置まで操作ボタン７５を押し込み操作することによって第２係合体７７と第２ロック部４７とが係合解除され、第２解除位置を越えて第１解除位置まで操作ボタン７５を押し込み操作することによって第１係合体７６と第１ロック部３６とが係合解除されるようになっている（請求項２）。
【０００８】
第１係合体７６と第２係合体７７とが、操作ボタン７５と一体に形成されてばね７４でロック付勢してある（請求項３）。
【０００９】
操作ボタン７５は、取付部２３に臨むヘッドフレーム１５で揺動自在に支持されるシーソーボタンであり、第１係合体７６がヘッドフレーム１５で往復スライド自在に案内支持されてばね７４でロック付勢されている。第２係合体７７は、外刃カセット３４のカセット枠４０に形成されており、操作ボタン７５の一端および他端を押し込み操作することにより、第１係合体７６と第２係合体７７とを択一的に係合解除できる（請求項４）。
【００１０】
外刃カセット３４と取付部２３との間には、外刃カセット３４を使用位置から分離準備位置へ押し出し付勢するばね５７が設けられており、外刃カセット３４と外刃ホルダー１６との間に、分離準備位置を越えて外刃カセット３４が飛び出るのを防ぐ飛び出し防止構造が設けてある（請求項５）。
【００１１】
外刃カセット３４に第２係合体７７と係合する第２ロック部４７が形成されており、飛び出し防止構造が、外刃ホルダー１６に形成した突起３７と、突起３７に係合する縦溝８８とで構成されており、第２ロック溝４７が縦溝８８を兼ねている（請求項６）。
【００１２】
操作ボタン７５は、外刃ホルダー１６およびヘッドフレーム１５の接合面と交差する状態で設けられており、外刃ホルダー１６の接合面に、操作ボタン７５の上半外郭線に対応する凹部３５が切り欠き形成されており、操作ボタン７５と凹部３５とが、外刃ホルダー１６を取付部２３に装着するときの装着ガイドを兼ねている（請求項７）。
【発明の効果】
【００１３】
本発明では、外刃ホルダー１６をロック保持する第１係合体７６および第１ロック部３６と、外刃カセット３４をロック保持する第２係合体７７および第２ロック部４７と、両係合体７６・７７と両ロック部３６・４７との係合状態を係合解除操作する操作ボタン７５などでロック機構を構成し、操作ボタン７５を第１解除位置と第２解除位置とに操作可能とすることにより、第１係合体７６と第１ロック部３６との係合状態をロック解除し、あるいは第２係合体７７と第２ロック部４７との係合状態をロック解除できるようにした。
【００１４】
かかる本発明の電気かみそりにおいては、一組のロック機構のみで外刃ホルダー１６および外刃カセット３４のロック保持とロック解除とを行うことができるので、外刃ホルダーと外刃カセットとのそれぞれに応じて専用のロック機構を設けていた従来構造に比べて、ロック機構の構造を著しく簡素化し、その分だけ組立の手間を省けることも加わって、全体として電気かみそりの製造コストを削減できる。構造を簡素化できる分だけ、ロック機構が故障する可能性を低減できることにもなる。１個の操作ボタン７５のみで、外刃ホルダー１６と外刃カセット３４とのロック状態を解除できるので、２個の操作ボタンを使い分ける必要があった従来構造に比べて操作性を向上できるうえ、かみそりヘッド２の外観をすっきりさせることができる。
【００１５】
外刃カセット３４と外刃ホルダー１６とのいずれか一方をロック解除し、あるいは必要に応じて外刃カセット３４と外刃ホルダー１６とのロック状態をワンタッチで同時にロック解除操作できるので、目的とするメンテナンス作業や切断刃の交換など、作業の種類に応じて必要な部分を簡単にロック解除操作でき、メンテナンス作業や切断刃の交換などを迅速に行える点でも有利である（請求項１）。
【００１６】
操作ボタン７５をロック解除操作するとき、第２解除位置まで操作ボタン７５を押し込み操作することによって第２係合体７７と第２ロック部４７とが係合解除され、第２解除位置を越えて第１解除位置まで操作ボタン７５を押し込み操作することによって第１係合体７６と第１ロック部３６とが係合解除されるようにしたロック機構によれば、外刃カセット３４と、外刃ホルダー１６とを記載順にロック解除操作できるので、外刃ユニット４１の清掃や潤滑材の補充を行うような場合に、作業対象である外刃カセット３４のみを分離して、清掃作業等の手間を軽減できる。外刃ホルダー１６を取付部２３に装着した状態のままで、外刃カセット３４のみを分離できるので、外刃カセット３４を分離するとき、内刃５６やその周辺部に付着した毛屑が周辺に飛散するのを外刃ホルダー１６で防止して、毛屑の廃棄を衛生的に行え、外刃カセット３４を分離した状態において、内刃５６の周囲を外刃ホルダー１６で保護できる利点もある。操作ボタン７５を一気に押し込み操作すると、外刃カセット３４と外刃ホルダー１６とを殆ど同時にロック解除操作できる（請求項２）。
【００１７】
操作ボタン７５を押ボタンで構成し、第１係合体７６と第２係合体７７とを操作ボタン７５と一体に形成したロック機構によれば、操作ボタン７５と両係合体７６・７７とを一体化したロックピース７３と、ロックピース７３をロック付勢するばね７４と、ロックピース７３のガイド構造のみの、最小限の部材点数でロック機構を構成して、その構造をさらに簡素化できるうえ、組立の手間省いて電気かみそりの製造コストをさらに削減できる（請求項３）。
【００１８】
操作ボタン７５をシーソーボタンで構成し、操作ボタン７５の一端および他端を押し込み操作することにより、第１係合体７６と第２係合体７７とを択一的に係合解除できるようにしたロック機構によれば、外刃カセット３４と外刃ホルダー１６とを記載順にロック解除操作することができるし、外刃カセット３４を装着した状態のままで外刃ホルダー１６をロック解除操作することもでき、清掃や切断刃のメンテナンスなど、作業の内容に応じて外刃カセット３４と外刃ホルダー１６とを分離操作できる利点がある（請求項４）。
【００１９】
外刃カセット３４を使用位置から分離準備位置へ押し出し付勢するばね５７が設けてある電気かみそりにおいて、外刃カセット３４と外刃ホルダー１６との間に飛び出し防止構造を設けるようにしたロック機構によれば、外刃カセット３４のみがロック解除操作されるとき、外刃カセット３４がばね５７の弾性力を受けて勢いよく上方移動するような場合にも、飛び出し防止構造で外刃カセット３４を受け止めて分離準備位置に位置保持できるので、外刃カセット３４が外刃ホルダー１６から飛び出して床面へ落下するのを確実に防止できるうえ、外刃カセット３４の飛び出しに伴う毛屑の飛散も防止できる（請求項５）。
【００２０】
外刃ホルダー１６に形成した突起３７と、突起３７と係合する縦溝８８とで飛び出し防止構造を構成し、外刃カセット３４に設けた第２ロック部４７が先の縦溝８８を兼ねる構造としたロック機構によれば、飛び出し防止構造を付加した分だけ構造が複雑化するのを避けながら飛び出し防止機能を追加でき、したがって、ロック機構の構造がいたずらに複雑化するのを避けながら、電気かみそりの使い勝手を向上できる（請求項６）。
【００２１】
外刃ホルダー１６およびヘッドフレーム１５の接合面と交差する状態で操作ボタン７５を設けて、外刃ホルダー１６の接合面に、操作ボタン７５の上半外郭線に対応する凹部３５を切り欠き形成するロック機構によれば、操作ボタン７５で凹部３５をガイドしながら外刃ホルダー１６を取付部２３に装着できるので、例えば外刃ホルダー１６が前後にずれた状態のままで取付部２３に組まれるような場合でも、その位置を矯正しながら外刃ホルダー１６を常に適正な位置に組み付けることができる。さらに、外刃ホルダー１６が不適切な姿勢のままで取付部２３に無理に組み付けられ、外刃５２と内刃５６との接触状態が不適正なままで、電気かみそりがひげそりに供されるのを確実に防止できる（請求項７）。
【発明を実施するための最良の形態】
【００２２】
図１ないし図１１は本発明に係る電気かみそりの実施例を示す。図２において電気かみそりは上下中途部がくびれている本体ケース１と、本体ケース１に組み付けられる作動ユニットを主な構成要素にして構成する。作動ユニットは、本体ケース１の内部に収容される電装品部と、本体ケース１の上部のかみそりヘッド２とで構成する。
【００２３】
本体ケース１の前面には、化粧パネル３を設けてあり、その上下にモーター起動用のスイッチノブ４と、充電時にのみ発光表示する表示パネル５を設けてある。本体ケース１の後面には、きわぞり刃ユニット６と、きわぞり刃ユニット６を起伏操作する切換ノブ７を設けてある。図２に示すように本体ケース１の内部には、モーター１０、２次電池１１、および回路基板などからなる電装品部が収容され、ケースパッキン１２で密封してある。
【００２４】
図３においてかみそりヘッド２は、中空箱状のヘッドフレーム１５と、ヘッドフレーム１５に着脱される外刃ホルダー１６とを主な構造体にして、これら構造体にモーター１０および振動子１７を含む駆動機構と、前後一対のメイン刃１８およびセンター刃１９などを組み込んで構成する。図１に示すように、側面から見たかみそりヘッド２の機軸中心は、本体ケース１の前面側へ傾斜している。モーター１０はモーターホルダー２０に装填されて、モーターホルダー２０とともにヘッドフレーム１５の下面に締結固定する。
【００２５】
図３および図４に示すように、ヘッドフレーム１５の内部には、モーター１０で回転駆動されるカム機構２１と、前後一対の振動子１７・１７とを配置してあり、これら両者１７・２１でモーター１０の回転動力を往復動作に変換して、メイン刃１８、センター刃１９およびきわぞり刃ユニット６を往復駆動する。ヘッドフレーム１５の上面開口はフレームカバー２２で塞いであり、このフレームカバー２２の前後左右の周面と、ヘッドフレーム１５の上端壁の周縁部分とで外刃ホルダー１６の取付部２３が構成されている。
【００２６】
前後の振動子１７は、メイン刃１８用の駆動軸２５をそれぞれ備えており、互いに逆向きに駆動されて運動慣性力を相殺する。図３において前側の駆動軸２５には、センター刃２１用の駆動軸２６を設けてあり、後側の駆動軸２５にはきわぞり刃ユニット６用の駆動腕２７を設けてある。図３において符号２８は駆動軸２５用のパッキン、２９はモーター１０の出力軸用のパッキンである。
【００２７】
図５において外刃ホルダー１６は、左右一対の側枠３２と、側枠３２の下部どうしを繋ぐ前後の横枠３３とを一体に備えた上下面が開口する枠体からなり、その上面開口の内部に外刃カセット３４が着脱自在に組み込んである。側枠３２の中央下部には、後述する操作ボタン７５の上半外郭線に沿う凹部３５を形成し、その内面両側に後述する第１係合爪７６と係合する第１ロック溝（第１ロック部）３６が凹み形成されている（図１、図７参照）。凹部３５の内面上方には、横リブ状の突起３７と、縦リブからなる位置決めリブ３８とが形成してある。外刃ホルダー１６は先の取付部２３に対して上方から装着される。
【００２８】
外刃カセット３４は、カセット枠４０と、カセット枠４０の前後に組み込まれる外刃ユニット４１と、両外刃ユニット４１の間に配置されるセンター刃１９とを含む。カセット枠４０は、外刃ホルダー１６と同様に左右一対の側枠４２と、側枠４２の下部どうしを繋ぐ前後の横枠４３とで上下面が開口する枠体状に形成するが、外刃ホルダー１６よりひとまわり小さい。左右の側枠４２の間には、カセット枠４０の前後中央を左右に横切る補強枠４４を一体に設けてある（図５参照）。
【００２９】
両側枠４２の中央下部に係合脚４６を突設し、そこに後述する第２係合爪７７と係合する長方形状の第２ロック溝（第２ロック部）４７を貫通状に形成している（図７参照）。左右の側枠４２の中央上部には、先の位置決めリブ３８と係合する縦溝４８を形成してあり、その内面に外刃ユニット４１の上方移動を規制するガイド突起４９を形成してある。前後の横枠４５の内面中央にはガイド壁５０を突設してある。これらのガイド突起４９およびガイド壁５０で、前後の外刃ユニット４１をそれぞれカセット枠４０に対して上下スライド自在に案内支持する（図９参照）。
【００３０】
図５において外刃ユニット４１は、シート状の網刃からなる外刃５２と、外刃５２をアーチ状に保形保持する外刃フレーム５３とで構成する。外刃フレーム５３の左右側壁の外面には、ガイド突起４９でスライド案内される縦溝５４が形成されており、ガイド壁５０と対向する前壁または後壁にスライド突起５５を形成してある。外刃５２と、駆動軸２５に装着される内刃５６とでメイン刃１８を構成する。図４に示すように内刃５６は、スリット刃からなり、内刃フレーム５８で逆Ｕ字状に保形してある。内刃フレーム５８は駆動軸２５内に組み込んだ圧縮コイル形のばね５７で押し上げ付勢されて、外刃５２と常に密着できる。内刃フレーム５８の中央内面には、先の駆動軸２５に係合連結される丸軸状の受動片５９を形成してある。
【００３１】
カセット枠４０に装着した前後の外刃ユニット４１をそれぞれ上下浮動可能に支持するために、補強枠４４の前後面のそれぞれに横向きに延びる左右一対の弾性腕６２を設けてあり、その先端が外刃フレーム５３の横枠４３に設けた横長の長穴６３に係合している（図４参照）。カセット枠４０に装着した状態の外刃ユニット４１は、弾性腕６２で押し上げ付勢されて、縦溝５４の下端がガイド突起４９で受け止められ（図４参照）、スライド突起５５の上面がガイド壁５０の掛止リブで受け止められている。
【００３２】
図６においてセンター刃１９は、それぞれスリット刃として形成される外センター刃６５、内センター刃６６、および外センター刃６５を固定支持する刃受枠２０とで構成する。刃受枠２０の左右両側に設けた係合脚６８は、カセット枠４０の左右側枠４２の内面に設けた係合溝６９（図５参照）に係合装着し、さらに刃受枠６７と補強枠４４との間に左右一対の圧縮コイル形のばね７０を介装することにより、センター刃１９が上下浮動可能に支持される。
【００３３】
かみそりヘッド２の取付部２３に装着した外刃ホルダー１６、および外刃カセット３４を分離不能にロック保持するために、外刃ホルダー１６と取付部２３との間にはロック機構が設けられている。図８においてロック機構は、取付部２３の両側と外刃ホルダー１６との間に設けられるロックピース７３と、ロックピース７３をロック付勢する圧縮コイル形のばね７４とを含む。
【００３４】
図８においてロックピース７３は、卵形の押ボタンからなる操作ボタン７５と、その内面側の前後に突設される外横向きの第１係合爪（第１係合体）７６と、前後の係合爪７６の間に設けられる外横向きの第２係合爪（第２係合体）７７と、両係合爪７６の下側に設けられるスライド溝７８とを一体に形成したプラスチック成形品からなる。第２係合爪７７は、第１係合爪７６より上方へ突設され、さらに第１係合爪７６より内側へずらした位置に形成する。符号７９はばね７４を受け入れるばね穴である。
【００３５】
ロックピース７３を左右スライド自在に案内支持するために、ヘッドフレーム１５の上部周囲を囲むスカート壁８２の左右両側に、操作ボタン７５の下半分を受け入れる凹部８３を形成し、さらに凹部８３の前後に隣接する上端壁を切り欠いてガイド壁８４としている。図１に示すように、ロックピース７３のスライド溝７８をガイド壁８４でスライド案内し、ばね受穴７９に装填したばね７４の端部を、ヘッドフレーム１５の左右のばね座８５で受け止めることにより、ロックピース７３の全体をロック係合姿勢に向かって移動付勢できる。
【００３６】
第１係合爪７６は、外刃ホルダー１６に設けた第１ロック溝３６と係合して、外刃ホルダー１６を分離不能にロック固定し、第２係合爪７７はカセット枠４０に設けた第２ロック溝４７と係合して、外刃カセット３４を分離不能にロック固定する。ばね７４の付勢力に抗して操作ボタン７５を押し込み操作すると、図１に示すように第２係合爪７７と第２ロック溝４７との係合状態が解除されて、外刃カセット３４がロック解除される。しかし、第１係合爪７６と第１ロック溝３６とは係合状態を維持して、外刃ホルダー１６をロック状態に保持する。このときの操作ボタン７５の押し込み位置を第２解除位置とする。
【００３７】
ロック解除操作される以前の外刃カセット３４は、内刃５６用のばね５７の弾性力を受けて、上向きに押し上げ付勢されている。そのため、上記のように第２係合爪７７と第２ロック溝４７との係合状態が解除されると、外刃カセット３４は外刃ホルダー１６にガイドされて上方へスライド移動し、カセット枠４０が外刃ホルダー１６から浮上がる。この状態のカセット枠４０の前後面をつまんで上方に抜外すことにより、外刃カセット３４の全体を外刃ホルダー１６から取り外すことができる。第２解除位置を越えて操作ボタン７５をさらに押し込み操作すると、図１０に示すように第１係合爪７６と第１ロック溝３６との係合状態が解除され、外刃ホルダー１６がロック解除される。外刃ホルダー１６を取り外す場合は操作ボタン７５を押しながら外刃ホルダー１６の左右面（外枠３２）をつまんで上方に抜き外すことで行う。このときの操作ボタン７５の押し込み位置を第１解除位置とする。操作ボタン７５を第１解除位置まで一気に押し込むと、外刃カセット３４と外刃ホルダー１６の両者を殆ど同時にロック解除操作できる。
【００３８】
先に説明したように、操作ボタン７５を第２解除位置まで押し込み操作したとき、外刃カセット３４は使用位置から上方へ浮上がるが、外刃カセット３４が勢いよく上方移動する場合には、外刃ホルダー１６から飛び出してしまうおそれがある。こうした、外刃カセット３４の飛び出しを防ぐために、外刃カセット３４と外刃ホルダー１６との間に飛び出し防止構造が設けられている。
【００３９】
図１において飛び出し防止構造は、外刃ホルダー１６の側枠３２の内面に形成した突起３７と、カセット枠４０の係合脚４６に設けた縦溝８８とで構成する。外刃カセット３４を外刃ホルダー１６に装着した状態（図４の状態）において、突起３７は縦溝８８の上端部分に係合している。そのため、外刃カセット３４が勢いよく上方移動したとしても、図１に示すように縦溝８８の下端部分が突起３７で受け止められるので、外刃カセット３４はそれ以上移動できず、したがって飛び出しを防止できる。
【００４０】
つまり、外刃カセット３４は、縦溝８８の下端部分が突起３７で受け止められた分離準備位置に位置保持される。この実施例では、第２ロック溝４７を係合脚４６の壁に貫通形成することにより、第２ロック溝４７が縦溝８８を兼ねる構造とした。なお、外刃カセット３４を外刃ホルダー１６から取り外す場合には、カセット枠４０の前後面をつまんで引っ張ることにより、係合脚４６が弾性変形しながら突起３７を乗り越えるので、外刃カセット３４を外刃ホルダー１６から問題なく取り外すことができる。
【００４１】
清掃などのために取り外した外刃ホルダー１６を取付部２３に再装着する場合には、図１１に示すように外刃ホルダー１６を上方から取付部２３に組み込む。このとき、外刃ホルダー１６が取付部２３に嵌め込むのと同時に、凹部３５が操作ボタン７５の周面に接するので、外刃ホルダー１６の前後位置にずれがあったとしても、凹部３５が操作ボタン７５にガイドされてずれを矯正でき、外刃ホルダー１６を取付部２３に対して常に適正に組み付けることができる。
【００４２】
図１２はロック機構の別実施例を示す。そこでは、操作ボタン７５をシーソーボタンで構成して、第１係合爪７６と第２係合爪７７とを択一的に係合解除操作できるようにした。操作ボタン７５は、ボタン本体９０と、ボタン本体９０の内面下部に突設した第１操作爪９１と、ボタン本体９０の内面上部に突設した第２操作爪９２とを一体に備えており、ボタン本体９０の前後面に設けた軸９３をヘッドフレーム１５で軸支することにより、操作ボタン７５の全体がシーソー傾動可能に支持され、図外のばねで中立位置に復帰付勢してある。
【００４３】
第１係合爪７６は、操作ボタン７５とは別の独立した部品として構成してあり、先の実施例と同様に、スライド溝７８がガイド壁８４で左右スライド自在に案内支持されている。第２係合体７７はカセット枠４０に形成する。詳しくは、カセット枠４０の係合脚４６を第２係合体７７として利用し、その壁面に長方形状のロック溝９５を形成する。ロック溝９５を係合保持するために、外刃ホルダー１６の側枠３２の内面に第２ロック部４７を突出形成する。ロック溝９５は縦溝８８を兼ねる。
【００４４】
外刃カセット３４が組み付けられた外刃ホルダー１６を取付部２３に装着した状態では、操作ボタン７５は中立姿勢になっており、第１操作爪９１は第１係合爪７６の側端下部に、第２操作爪９２は第２係合爪７７の側端下部にそれぞれ接している。この状態から、例えば操作ボタン７５の上半分側を押し込み操作すると、第２操作爪９２が第２係合爪７７を弾性変形させながら内方へ変位させて、第２ロック溝４７と第２係合部９５との係合状態を解除して、外刃カセット３４をロック解除できる（第２解除位置）。逆に、操作ボタン７５の下半分側を押し込み操作すると、第１操作爪９１が第１係合爪７６をばね７４に抗してスライド変位させて、第１係合爪７６と第１ロック溝３６との係合状態を解除して、外刃ホルダー１６をロック解除できる（第１解除位置）。他は先の実施例と同じであるので、同じ部材に同じ符号を付してその説明を省略する。
【００４５】
図１３はロック機構のさらに別の実施例を示す。そこでは、操作ボタン７５を押しボタンで構成して、第２係合体７７と第１係合爪７６とを記載順に係合解除操作できるようにした。ロックピース７３は、操作ボタン７５と、第１係合爪７６と、操作ボタン７５の内面上部に突設した操作突起９７とで構成し、これらの部材を一体に成形した。スライド溝７８をガイド壁８４でスライド案内することにより、ロックピース７３は左右スライド自在に支持される。図１２のロック機構と同様に、カセット枠４０の係合脚４６を第２係合体７７として利用し、その壁面に長方形状のロック溝９５を形成し、外刃ホルダー１６の側枠３２の内面に第２ロック部４７を突出形成した。ロック溝９５が縦溝８８を兼ねる点も同じである。
【００４６】
外刃カセット３４が組まれた外刃ホルダー１６を取付部２３に装着した状態において、ばね７４の付勢力に抗して操作ボタン７５を押し込み操作すると、図１３に示すように、第２係合体７７が操作突起９７に押されて弾性変形し、ロック溝９５と第２ロック部４７との係合状態が解除されて、外刃カセット３４がロック解除される。しかし、第１係合爪７６と第１ロック溝３６とは係合状態を維持して、外刃ホルダー１６をロック状態に保持している。このときの操作ボタン７５の押し込み位置を第２解除位置とする。ロック解除された外刃カセット３４は、内刃５６を押上げ付勢するばね５７で押上げられるが、先の実施例と同様に、縦溝８８の下端部分が突起３７で受止められて分離準備位置に位置保持される。
【００４７】
第２解除位置を越えて、操作ボタン７５をさらに押し込み操作すると、第１係合爪７６と第１ロック溝３６との係合状態が解除され、外刃ホルダー１６がロック解除される。このときの操作ボタン７５の押し込み位置が第１解除位置となる。操作ボタン７５を第１解除位置まで一気に押し込むと、外刃カセット３４と外刃ホルダー１６の両者を殆ど同時にロック解除操作できる。他は先の実施例と同じであるので、同じ部材に同じ符号を付してその説明を省略する。
【００４８】
上記のように構成したロック機構によれば、外刃ホルダー１６を取付部２３から分離するとき、外刃カセット３４も同時にロック解除操作して両者１６・３４を分離できるので、外刃ホルダー１６および外刃カセット３４の内面の清掃を隅々まで行えるうえ、両者１６・３４の接合隙間に入り込んだ毛屑を簡便に除去できる。
【００４９】
上記の実施例では、第２ロック溝４７が縦溝８８を兼ねるようにしたが、縦溝８８は第２ロック溝４７と別に設けることができる。操作ボタン７５は、押ボタンあるいはシーソーボタン以外に、スライドボタンで形成してもよい。例えば、中立位置から一方へスライド操作する場合と、他方へスライド操作する場合とで、外刃ホルダー１６と外刃カセット３４とを個別にロック解除操作できるように構成することができる。外刃ホルダー１６には、少なくとも１個のメイン刃１８が組み込んであればよく、その場合の外刃カセット３４のカセット枠４０は、外刃フレーム５３が兼ねることができる。外刃カセット３４はそれ専用のばねで押し上げ付勢することができる。
【図面の簡単な説明】
【００５０】
【図１】外刃ホルダーおよび外刃カセットのロック機構を示す縦断正面図である。
【図２】電気かみそりの正面図である。
【図３】かみそりヘッドの縦断側面図である。
【図４】かみそりヘッドの縦断正面図である。
【図５】かみそりヘッドの分解斜視図である。
【図６】かみそりヘッドの分解正面図である。
【図７】かみそりヘッドの分解断面図である。
【図８】ロック機構の分解斜視図である。
【図９】かみそりヘッドの横断平面図である。
【図１０】外刃ホルダーの取り外し状態を示す縦断側面である。
【図１１】外刃ホルダーの装着途中状態を示す側面図である。
【図１２】ロック機構の別実施例を示す断面図である。
【図１３】ロック機構のさらに別の実施例を示す断面図である。
【符号の説明】
【００５１】
２  かみそりヘッド
１５  ヘッドフレーム
１６  外刃ホルダー
２３  取付部
３４  外刃カセット
３５  凹部
３６  第１ロック部
３７  突起
４０  カセット枠
４７  第２ロック部
５７  ばね
７５  操作ボタン
７６  第１係合体
７７  第２係合体
８８  縦溝
【図１】
2005111004.tif 000003
【図２】
2005111004.tif 000004
【図３】
2005111004.tif 000005
【図４】
2005111004.tif 000006
【図５】
2005111004.tif 000007
【図６】
2005111004.tif 000008
【図７】
2005111004.tif 000009
【図８】
2005111004.tif 000010
【図９】
2005111004.tif 000011
【図１０】
2005111004.tif 000012
【図１１】
2005111004.tif 000013
【図１２】
2005111004.tif 000014
【図１３】
2005111004.tif 000015